(57)【要約】【課題】製造コストを低減でき、安定した保持力を得ることができる防水ゴム栓を提供する。【解決手段】防水ゴム栓１において、筒状の本体部３の内周側に設けられ電線が挿通される電線挿通部７と、本体部３の外周側に設けられハウジングに形成された端子収容キャビティの内壁と当接して電線と端子収容キャビティの内壁との間をシールするシール部１５と、本体部３と連続する一部材で筒状に形成され端子収容キャビティに収容される端子に形成されたかしめ足にかしめられて電線と共に端子に固定される取付部２１と、取付部２１の周方向に複数形成され電線挿通部７に電線が挿通された状態でかしめ足を取付部２１にかしめることにより電線と後かしめ足とを接触させるスリット部２３とを有した。【選択図】図３
2009252428.tif 000002
【特許請求の範囲】
【請求項１】
筒状の本体部の内周側に設けられ電線が挿通される電線挿通部と、
前記本体部の外周側に設けられハウジングに形成された端子収容キャビティの内壁と当接して前記電線と前記端子収容キャビティの内壁との間をシールするシール部と、
前記本体部と連続する一部材で筒状に形成され前記端子収容キャビティに収容される端子に形成されたかしめ足にかしめられて前記電線と共に前記端子に固定される取付部と、
該取付部の周方向に複数形成され前記電線挿通部に前記電線が挿通された状態で前記かしめ足を前記取付部にかしめることにより前記電線と前記かしめ足とを接触させるスリット部と、
を有することを特徴とする防水ゴム栓。
【請求項２】
請求項１記載の防水ゴム栓であって、
前記スリット部は、前記電線の挿通方向に延びる長孔形状に形成されていることを特徴とする防水ゴム栓。
【請求項３】
請求項１又は２記載の防水ゴム栓であって、
前記スリット部の周囲には、前記取付部の外周面から前記スリット部に向けて傾斜する傾斜部が設けられていることを特徴とする防水ゴム栓。
【発明の詳細な説明】
【技術分野】
【０００１】
本発明は、防水ゴム栓に関する。
【背景技術】
【０００２】
従来、ハウジングに形成された端子収容キャビティの内壁と電線との間を防水する防水ゴム栓としては、電線に接続された端子金具のインシュレーションバレルにかしめられる取付部の外側面に電線の挿通方向に延びると共に周方向に所定間隔を隔てて突出された複数条の縦リブが設けられた防水ゴム栓が記載されている（例えば、特許文献１参照）。
【０００３】
この防水ゴム栓では、取付部に電線の挿通方向に延びる複数条の縦リブを設けることで、端子金具を防水ゴム栓にかしめたときにインシュレーションバレルが取付部の外側面に深く食い込んで損傷してしまうことを防止していると共に、電線の挿通方向に加わる引張力を受け止めて防水ゴム栓が端子金具から抜けることを防止している。また、縦リブを周方向に所定間隔を隔てて設けることで、インシュレーションバレルが取付部の周方向において一様に締付けることができる。
【特許文献１】特開２００７−２２７１６４号公報
【発明の開示】
【発明が解決しようとする課題】
【０００４】
しかしながら、上記の防水ゴム栓では、取付部の外側面に電線の挿通方向に延びると共に周方向に所定間隔を隔てて突出された複数条の縦リブが設けられているが、取付部の形状が複雑であるために成形の複雑性が増し、製造コストが高くなってしまう。
【０００５】
また、取付部の外側面でのかしめ位置によって保持力にばらつきが出る可能性があり、安定した保持力を得ることができない恐れがあった。
【０００６】
そこで、この発明は、製造コストを低減でき、安定した保持力を得ることができる防水ゴム栓の提供を目的としている。
【課題を解決するための手段】
【０００７】
請求項１記載の防水ゴム栓は、筒状の本体部の内周側に設けられ電線が挿通される電線挿通部と、前記本体部の外周側に設けられハウジングに形成された端子収容キャビティの内壁と当接して前記電線と前記端子収容キャビティの内壁との間をシールするシール部と、前記本体部と連続する一部材で筒状に形成され前記端子収容キャビティに収容される端子に形成されたかしめ足にかしめられて前記電線と共に前記端子に固定される取付部と、該取付部の周方向に複数形成され前記電線挿通部に前記電線が挿通された状態で前記かしめ足を前記取付部にかしめることにより前記電線と前記かしめ足とを接触させるスリット部とを有することを特徴とする。
【０００８】
請求項２記載の発明は、請求項１記載の防水ゴム栓であって、前記スリット部は、前記電線の挿通方向に延びる長孔形状に形成されていることを特徴とする。
【０００９】
請求項３記載の発明は、請求項１又は２記載の防水ゴム栓であって、前記スリット部の周囲には、前記取付部の外周面から前記スリット部に向けて傾斜する傾斜部が設けられていることを特徴とする。
【発明の効果】
【００１０】
請求項１の防水ゴム栓は、電線挿通部に電線が挿通された状態でかしめ足を取付部にかしめることにより電線とかしめ足とを接触させるスリット部が取付部の周方向に複数形成されているので、取付部にスリット部を設けるだけでよく、取付部の形状を簡易化することができる。
【００１１】
また、スリット部を取付部の周方向に複数形成させることにより、取付部でのかしめ足によるかしめ位置を特定することができ、かしめ足による取付部の保持力を安定させることができる。
【００１２】
従って、製造コストを低減でき、安定した保持力を得ることができる。
【００１３】
請求項２の防水ゴム栓は、スリット部が電線の挿通方向に延びる長孔形状に形成されているので、かしめ足を取付部にかしめたときのかしめ足と電線との接触面積を大きくすることができ、端子と取付部との圧着状態を確実に保持することができる。
【００１４】
請求項３の防水ゴム栓は、スリット部の周囲に取付部の外周面からスリット部に向けて傾斜する傾斜部が設けられているので、スリット部がかしめ足によって覆われた状態でもスリット部の位置を確認することができ、かしめ位置を確実に特定することができる。
【００１５】
また、スリット部の周囲に傾斜部を設けることで、かしめ足で取付部をかしめたときに取付部の潰し体積が傾斜部によって減少され、取付部の圧着サイズを縮小することができ、全体のサイズを縮小することができる。
【発明を実施するための最良の形態】
【００１６】
図１〜図６を用いて本発明の実施の形態に係る防水ゴム栓について説明する。
【００１７】
本実施の形態の防水ゴム栓１は、筒状の本体部３の内周側に設けられ電線５が挿通される電線挿通部７と、本体部３の外周側に設けられハウジング９に形成された端子収容キャビティ１１の内壁１３と当接して電線５と端子収容キャビティ１１の内壁１３との間をシールするシール部１５と、本体部３と連続する一部材で筒状に形成され端子収容キャビティ１１に収容される端子１７に形成されたかしめ足としての後かしめ足１９にかしめられて電線５と共に端子１７に固定される取付部２１と、取付部２１の周方向に複数形成され電線挿通部７に電線５が挿通された状態で後かしめ足１９を取付部２１にかしめることにより電線５と後かしめ足１９とを接触させるスリット部２３とを有する。
【００１８】
また、スリット部２３は、電線５の挿通方向に延びる長孔形状に形成されている。
【００１９】
さらに、スリット部２３の周囲には、取付部２１の外周面からスリット部２３に向けて傾斜する傾斜部２５が設けられている。
【００２０】
図１〜図６に示すように、防水ゴム栓１は、電線５が挿通された状態で端子１７に組付けられ、端子１７に組付けられた状態でハウジング９の端子収容キャビティ１１内に収容される。
【００２１】
ハウジング９は、内部に円筒形状の端子収容キャビティ１１が複数（ここでは４つ）形成されている。端子収容キャビティ１１には、電線５に接続された端子１７が収容される。この端子収容キャビティ１１は、ハウジング９の両面に開口し、一方の面から端子１７が挿入されて端子１７を収容し、他方の面から端子１７に電気的に接続される相手端子（不図示）の接触部が挿入される。
【００２２】
端子１７は、電気接触部２７と前かしめ足２９と後かしめ足１９とを備えている。電気接触部２７は、筒状に形成され、相手端子の接触部が挿入されることにより、端子１７と相手端子とが電気的に接続される。前かしめ足２９は、電線５の端末に被覆３１を剥がして露出された芯線３３をかしめることにより、端子１７と電線５とを電気的に接続させる。後かしめ足１９は、電線５が挿通された防水ゴム栓１の取付部２１をかしめることにより、端子１７と電線５と防水ゴム栓１とを一体的に保持する。
【００２３】
防水ゴム栓１は、筒状に形成された本体部３を有し、本体部３は電線挿通部７とシール部１５と取付部２１とスリット部２３とを備えている。
【００２４】
電線挿通部７は、本体部３の内周に本体部３の一方の面と他方の面とを貫通する孔となっている。この電線挿通部７には電線５が挿通され、電線５の被覆３１に密着して当接されて本体部３と電線５との間を防水している。
【００２５】
シール部１５は、本体部３の外周面の取付部２１側に電線５の挿通方向等間隔に複数条（ここでは２条）突設されたリップ３５となっている。このリップ３５の外周面は、本体部３が端子収容キャビティ１１に収容された状態で端子収容キャビティ１１の内壁１３と密着して当接されて本体部３と端子収容キャビティ１１の内壁１３との間を防水する。なお、リップ３５を本体部３の外周面全体に複数条設けてもよい。
【００２６】
取付部２１は、本体部３と連続する一部材で筒状に形成され、電線５が内周側の電線挿通部７に挿通された状態で外周面に端子１７の後かしめ足１９がかしめ付けられる。この取付部２１には、スリット部２３と傾斜部２５とが形成されている。
【００２７】
スリット部２３は、取付部２１の周方向等間隔に複数（ここでは４つ）設けられた長孔３７となっている。この長孔３７は、電線５の挿通方向に延びる形状で形成されている。これは、後かしめ足１９を取付部２１に治具３９を用いてかしめたときに、治具３９によって押圧された後かしめ足１９の部分を多く長孔３７内に挿入させて後かしめ足１９と電線５との接触面積を多くさせるためである。
【００２８】
傾斜部２５は、スリット部２３の周囲に取付部２１の外周面からスリット部２３に向けて傾斜して設けられている。この傾斜部２５は、後かしめ足１９で取付部２１をかしめる際に、後かしめ足１９によってスリット部２３が覆われた状態でスリット部２３の位置を確認することができる指示部となっている。また、傾斜部２５は、後かしめ足１９で取付部２１をかしめたときに取付部２１が潰されることによって生じる圧縮部分の逃げ部となっており、取付部２１の潰し体積を減少することができる。
【００２９】
このような防水ゴム栓１の組付けは、電線５を電線挿通部７に密着して挿通させて取付部２１から所定量の電線５を突出させる。この突出された電線５の被覆３１を剥がして芯線３３を露出させ、端子１７の前かしめ足２９を芯線３３にかしめて電線５と端子１７とを電気的に接続させる。また、端子１７の後かしめ足１９で取付部２１の外周側を覆い、後かしめ足１９のスリット部２３と一致する部分を治具３９で押圧してスリット部２３から後かしめ足１９の一部を突出させ、後かしめ足１９と電線５とを接触させる。この電線５と端子１７と一体化された防水ゴム栓１を端子１７と共にハウジング９の端子収容キャビティ１１内に挿入し、端子収容キャビティ１１の内壁１３とシール部１５のリップ３５とを密着して当接させ、組付けが完了する。
【００３０】
このような防水ゴム栓１では、電線挿通部７に電線５が挿通された状態で後かしめ足１９を取付部２１にかしめることにより電線５と後かしめ足１９とを接触させるスリット部２３が取付部２１の周方向に複数形成されているので、取付部２１にスリット部２３を設けるだけでよく、取付部２１の形状を簡易化することができる。
【００３１】
また、スリット部２３を取付部２１の周方向に複数形成させることにより、取付部２１での後かしめ足１９によるかしめ位置を特定することができ、後かしめ足１９による取付部２１の保持力を安定させることができる。
【００３２】
従って、製造コストを低減でき、安定した保持力を得ることができる。
【００３３】
また、スリット部２３が電線５の挿通方向に延びる長孔形状に形成されているので、後かしめ足１９を取付部２１にかしめたときの後かしめ足１９と電線５との接触面積を大きくすることができ、端子１７と取付部２１との圧着状態を確実に保持することができる。
【００３４】
さらに、スリット部２３の周囲に取付部２１の外周面からスリット部２３に向けて傾斜する傾斜部２５が設けられているので、スリット部２３が後かしめ足１９によって覆われた状態でもスリット部２３の位置を確認することができ、かしめ位置を確実に特定することができる。
【００３５】
また、スリット部２３の周囲に傾斜部２５を設けることで、後かしめ足１９で取付部２１をかしめたときに取付部２１の潰し体積が傾斜部２３によって減少され、取付部２１の圧着サイズを縮小することができ、全体のサイズを縮小することができる。
【００３６】
また、取付部２１にスリット部２３を設けることでスリット部２３分の取付部２１の体積が減少される。これにより、後かしめ足１９で取付部２１をかしめたときの圧着サイズ４１，４３が縮小される。ここで、ハウジング９の端子収容キャビティ１１のサイズ４５は、圧着サイズ４１，４３によって決定されている。このため、圧着サイズ４１，４３を縮小することにより、端子収容キャビティ１１のサイズ４５も縮小することができる。この端子収容キャビティ１１のサイズ縮小により、各端子収容キャビティ１１間のピッチを縮小することができ、全体としてハウジング９を小型化することができる。
【００３７】
なお、本発明の実施の形態に係る防水ゴム栓では、スリット部を長孔としているが、これに限らず、端子のかしめ足と電線とが接触できる形状であればスリット部をどのような形状に形成させてもよい。
【図面の簡単な説明】
【００３８】
【図１】一実施形態の防水ゴム栓が組付けられる周辺部材の分解斜視図である。
【図２】一実施形態の防水ゴム栓と端子と電線とを組付けた状態の斜視図である。
【図３】一実施形態の防水ゴム栓の斜視図である。
【図４】一実施形態の防水ゴム栓を端子に組付けるときの断面図である。
【図５】一実施形態の防水ゴム栓を端子に組付けたときの断面図である。
【図６】一実施形態の防水ゴム栓をハウジングに組付けたときの断面図である。
【符号の説明】
【００３９】
１…防水ゴム栓
３…本体部
５…電線
７…電線挿通部
９…ハウジング
１１…端子収容キャビティ
１３…内壁
１５…シール部
１７…端子
１９…後かしめ足（かしめ足）
２１…取付部
２３…スリット部
２５…傾斜部
【図１】
2009252428.tif 000003
【図２】
2009252428.tif 000004
【図３】
2009252428.tif 000005
【図４】
2009252428.tif 000006
【図５】
2009252428.tif 000007
【図６】
2009252428.tif 000008